(57)【要約】【課題】暖機運転の際に燃料電池の出力電圧が急激に低下することを防止する。【解決手段】暖機運転の際、コントローラが、燃料電池に供給されている燃料ガス及び空気の流量や圧力に基づいて、燃料電池が出力可能な最大電流値と最大電流値より小さい応答変更電流値を設定する。そして、コントローラは、燃料電池の実電流値が応答変更電流値以上になる電流領域Ｂにおいては、燃料電池の出力電流の応答速度を低下させる。このような構成によれば、燃料ガス及び空気の流量や圧力に対応する最大電流値に実電流値が近づくのに応じて、実電流の時間辺りの変化量が小さくなり、実電流は徐々に最大電流値に近づくようになるので、過渡的に生じやすい急激な電圧の低下を防止できる。【選択図】図３
2006004717.tif 000002
【特許請求の範囲】
【請求項１】
燃料電池に供給するガスの流量又は圧力を制御することにより燃料電池の運転効率を低下し、燃料電池の暖機を行う燃料電池システムであって、
暖機運転の際、燃料電池に供給されているガスの流量又は圧力に基づいて、燃料電池の最大電流値と当該最大電流値より小さい応答変更電流値を設定し、燃料電池の実電流値、若しくは目標電流値が応答変更電流値以上であるか否かを判別し、燃料電池の実電流値、若しくは目標電流値が応答変更電流値以上である場合、燃料電池の出力電流の応答速度を低下させるコントローラを備えること
を特徴とする燃料電池システム。
【請求項２】
請求項１に記載の燃料電池システムであって、
前記コントローラは、燃料電池の電圧変化量を検出し、検出された電圧変化量が電圧低下判定値以上であるか否かを判別し、電圧変化量が電圧低下判定値以上である場合、燃料電池の出力電流の増加を停止させること
を特徴とする燃料電池システム。
【請求項３】
請求項２に記載の燃料電池システムであって、
前記コントローラは、燃料電池の温度を検出し、検出された温度に基づいて燃料電池の最大出力電流値を算出し、算出された最大電流値が燃料電池の実電流、若しくは目標電流値以上であるか否かを判別し、算出された最大電流値が燃料電池の実電流、若しくは目標電流値以上である場合、燃料電池に供給されているガスの流量及び圧力の少なくとも一方を増加させることにより、燃料電池の出力電流を増加させること
を特徴とする燃料電池システム。
【発明の詳細な説明】
【技術分野】
【０００１】
本発明は、燃料電池システムに関し、より詳しくは、暖機運転の際に燃料電池の出力電圧が急激に低下することを防止するための技術に係わる。
【背景技術】
【０００２】
従来より、燃料電池の暖機が必要であると判断された場合、燃料電池に供給する水素や空気等のガスの流量や圧力を下げることにより、燃料電池の発電効率を悪化させ、燃料電池の発熱を促進する燃料電池システムが知られている（例えば、特許文献１を参照）。
【特許文献１】特開２００３−３１７７６５号公報
【発明の開示】
【発明が解決しようとする課題】
【０００３】
しかしながら、一般に、燃料電池に供給するガスの流量や圧力を下げた場合、燃料電池の電流電圧特性は高電流密度領域において電圧が急激に低下する特性を呈するようになるために、従来までの燃料電池システムによれば、暖機運転の際に燃料電池の出力電圧が急激に低下し、車両の運転を継続することが困難になることがある。
【０００４】
本発明は、上述の課題を解決するためになされたものであり、その目的は、暖機運転の際に燃料電池の出力電圧が急激に低下することを防止可能な燃料電池システムを提供することにある。
【課題を解決するための手段】
【０００５】
上述の課題を解決するために、本発明に係る燃料電池システムは、暖機運転の際、燃料電池に供給されているガスの流量又は圧力に基づいて、燃料電池の最大電流値と最大電流値より小さい応答変更電流値を設定し、燃料電池の実電流値、若しくは目標電流値が応答変更電流値以上であるか否かを判別し、燃料電池の実電流値、若しくは目標電流値が応答変更電流値以上である場合、燃料電池の出力電流の応答速度を低下させる。
【発明の効果】
【０００６】
本発明に係る燃料電池システムによれば、燃料電池の出力電流は、応答変更電流値を超えて以後、最大電流値に徐々に近づくようになるので、暖機運転の際に過渡的に生じやすい急激な電圧低下を防止できる。
【発明を実施するための最良の形態】
【０００７】
以下、図面を参照して、本発明の実施形態となる燃料電池システムの構成と動作について説明する。
【実施例１】
【０００８】
［燃料電池システムの構成］
本発明の第１の実施形態となる燃料電池システムは、図１に示すように、燃料ガスを貯留する燃料ガスタンク１と、燃料ガスタンク１から供給される燃料ガスの圧力を制御する圧力制御弁２と、圧力制御弁２によって圧力が制御された燃料ガスを燃料電池７に供給する流路３と、燃料電池７から排出された燃料ガスが循環する流路と流路３の合流部分に設けられたエゼクタ４と、コンプレッサ５から供給される空気を燃料電池７に供給する流路６と、燃料ガスと空気を利用して発電する燃料電池７と、燃料電池７が排出した空気を排出する排気管８と、排気管８から排出される空気の圧力を制御する圧力制御弁９とを備える。
【０００９】
一方、上記燃料電池システムの制御系は、流路６内を流れる空気の流量を検出する空気流量計１０と、燃料電池７の出力電流を検出する電流計１１と、燃料電池７の出力電圧を検出する電圧計１２と、燃料電池７の出力電流を制御する出力制御器１３と、燃料電池７の温度を検出する温度センサ１４と、圧力制御弁２及びコンプレッサ５を制御することにより、燃料電池７に供給する燃料ガス及び空気の圧力や流量を制御するコントローラ１５とを備える。
【００１０】
このような構成を有する燃料電池システムでは、燃料電池７の暖機が必要と判断されるのに応じて、コントローラ１５が、燃料電池７に供給する燃料ガス及び空気の圧力や流量を下げることにより、燃料電池７の発電効率を悪化させ、燃料電池７の発熱を促進する（暖機運転）。また、この暖機運転の際、コントローラ１５は、以下に示す応答制御処理を実行することにより、燃料電池７の出力電圧が急激に低下することを防止する。以下、図２に示すフローチャートを参照して、応答制御処理を実行する際のコントローラ１５の動作について説明する。
【００１１】
〔応答制御処理〕
図２に示すフローチャートは、燃料電池システムが起動されるのに応じて開始となり、応答制御処理はステップＳ１の処理に進む。なお、この応答制御処理は所定の制御周期毎に繰り返し実行されるものとする。
【００１２】
ステップＳ１の処理では、コントローラ１５が、現在の運転モードが暖機運転モードであるか否かを判別する。そして、判別の結果、運転モードが暖機運転モードでない場合、コントローラ１５は応答制御処理をステップＳ７の処理に進める。一方、運転モードが暖機モードである場合には、コントローラ１５は応答制御処理をステップＳ２の処理に進める。
【００１３】
ステップＳ２の処理では、コントローラ１５が、圧力制御弁２の開度と空気流量計１０及び温度センサ１４の検出結果を利用して、また図示しない圧力検出手段の検出結果を利用して、燃料電池７に供給されている燃料ガスの圧力，燃料電池７の温度，及び燃料電池７に供給されている空気の流量（ＳＲ）を読み込む。これにより、このステップＳ２の処理は完了し、この応答制御処理はステップＳ２の処理からステップＳ３の処理に進む。
【００１４】
ステップＳ３の処理では、コントローラ１５が、ステップＳ２の処理により読み込まれた燃料ガスの圧力，燃料電池７の温度，及び空気の流量における燃料電池７の最大電流値（図３参照）を演算する。これにより、このステップＳ３の処理は完了し、この応答制御処理はステップＳ３の処理からステップＳ４の処理に進む。
【００１５】
ステップＳ４の処理では、コントローラ１５が、ステップＳ３の処理において算出された最大電流値より小さい応答変更電流値を演算する（図３参照）。ここで、この応答変更電流値は、燃料電池７の出力電圧が所定の傾き以上で低下する以前の電流値であり、最大電流値に所定の１以下の係数を乗算することにより算出される。なお、応答変更電流値は、図４に示すような最大電流値毎の係数（＜１）を示すテーブルを予め用意し、このテーブルを参照して、現在の最大電流値に対応する係数を最大電流値に乗算することにより算出してもよい。これにより、このステップＳ４の処理は完了し、この応答制御処理はステップＳ４の処理からステップＳ５の処理に進む。
【００１６】
ステップＳ５の処理では、コントローラ１５が、電流計１１の検出結果を参照して、燃料電池７の実電流（出力電流）を読み込む。これにより、このステップＳ５の処理は完了し、この応答速度制御処理はステップＳ５の処理からステップＳ６の処理に進む。
【００１７】
ステップＳ６の処理では、コントローラ１５が、燃料電池７の実電流がステップＳ４の処理により演算された応答変更電流値以上であるか否かを判別する。そして、判別の結果、燃料電池７の実電流が応答変更電流値以上である場合（図３に示す領域Ｂ）、コントローラ１５は応答制御処理をステップＳ８の処理に進める。一方、燃料電池７の実電流が応答変更電流値以下である場合には（図３に示す領域Ａ）、コントローラ１５は応答制御処理をステップＳ７の処理に進める。
【００１８】
ステップＳ７の処理では、コントローラ１５が、出力制御器１３を制御することにより、燃料電池７の実電流が応答変更電流値以下の電流領域Ａにおいては燃料電池７の電流応答が速くなるように、燃料電池７の出力電流の応答時定数を例えば１秒等の速い応答速度に設定する。これにより、このステップＳ７の処理は完了し、一連の応答制御処理は終了する。
【００１９】
ステップＳ８の処理では、コントローラ１５が、出力制御器１３を制御することにより、燃料電池７の実電流が応答変更電流値以上の電流領域Ｂにおいては燃料電池７の電流応答が遅くなるように、燃料電池７の出力電流の応答時定数のステップＳ７の処理により設定される応答時定数よりも遅い例えば２秒等の応答速度に設定する。これにより、このステップＳ８の処理は完了し、一連の応答制御処理は終了する。
【００２０】
以上の説明から明らかなように、本発明の実施形態となる燃料電池システムによれば、暖機運転の際、コントローラ１５が、燃料電池７に供給されている燃料ガス及び空気の流量や圧力に基づいて、燃料電池７が出力可能な最大電流値とこの最大電流値より小さい応答変更電流値を設定する。そして、コントローラ１５は、燃料電池７の実電流値が応答変更電流値以上になる電流領域Ｂにおいては、燃料電池７の出力電流の応答速度を低下させる。このような構成によれば、燃料ガス及び空気の流量や圧力に対応する最大電流値に実電流値が近づくのに応じて、実電流の時間当たりの変化量が小さくなり、実電流は徐々に最大電流値に近づくようになるので、過渡的に生じやすい急激な電圧の低下を防止することができる。
【実施例２】
【００２１】
本発明の第２の実施形態となる燃料電池システムは、上記第１の実施形態となる燃料電池システムと同じ構成を有し、燃料電池７の出力電流の応答速度を低下させた際、コントローラ１５が、以下に示す電圧制御処理を実行することにより、燃料電池７の出力電圧の低下を防止すると共に、その時の温度状態における最大出力電流が得られるように燃料電池７を制御する（電圧制御処理）。以下、図５に示すフローチャートを参照して、この電圧制御処理を実行する際のコントローラ１５の動作について説明する。
【００２２】
〔電圧制御処理〕
図５に示すフローチャートは、燃料電池システムが起動されるのに応じて開始となり、電圧制御処理はステップＳ１１の処理に進む。なお、この電圧制御処理は所定の制御周期毎に繰り返し実行されるものとする。
【００２３】
ステップＳ１１の処理では、コントローラ１５が、現在の運転モードが暖機運転モードであり、且つ、燃料電池７の出力電流の応答速度が低く設定されている状態にあるか否かを判別する。そして、判別の結果、運転モードが暖機運転モードであり、且つ、燃料電池７の出力電流の応答速度が低く設定されている状態にない場合、コントローラ１５は電圧制御処理をステップＳ１９の処理に進める。一方、運転モードが暖機運転モードであり、且つ、燃料電池７の出力電流の応答速度が低く設定されている状態にある場合には、コントローラ１５は電圧制御処理をステップＳ１２の処理に進める。
【００２４】
ステップＳ１２の処理では、コントローラ１５が、電圧計１２の検出結果を参照して、現在の燃料電池７の出力電圧（現在値）、及び前回の処理において検出された出力電圧（前回値）を読み込む。これにより、このステップＳ１２の処理は完了し、この電圧制御処理はステップＳ１２の処理からステップＳ１３の処理に進む。
【００２５】
ステップＳ１３の処理では、コントローラ１５が、前回値と現在値の差分値を演算し、演算された差分値が電圧低下判定値（＞０）以上であるか否かを判別する。そして、判別の結果、差分値が電圧低下判定値以上である場合、コントローラ１５は、燃料電池７の出力電圧が急激に低下していると判断し、この電圧制御処理をステップＳ１４の処理に進める。一方、差分値が電圧低下判定値以上でない場合には、コントローラ１５は、燃料電池７の出力電圧は急激に低下していないと判断し、この電圧制御処理をステップＳ１５の処理に進める。
【００２６】
ステップＳ１４の処理では、コントローラ１５が、出力制御器１３を制御することにより、燃料電池７の出力電流が現在の値以上にならないように電流上限値を燃料電池７の現在の出力電流値に設定し、燃料電池７の出力電圧の更なる低下を防止する。これにより、このステップＳ１４の処理は完了し、この電圧制御処理はステップＳ１４の処理からステップＳ１８の処理に進む。
【００２７】
ステップＳ１５の処理では、コントローラ１５が、圧力制御弁２の開度と空気流量計１０及び温度センサ１４の検出結果を利用して、また図示しない圧力検出手段の検出結果を利用して、燃料電池７に供給されている燃料ガスの圧力，燃料電池７の温度，及び燃料電池７に供給されている空気の流量（ＳＲ）を読み込む。これにより、このステップＳ１５の処理は完了し、この電圧制御処理はステップＳ１５の処理からステップＳ１６の処理に進む。
【００２８】
ステップＳ１６の処理では、コントローラ１５が、ステップＳ１５の処理により読み込まれた燃料ガスの圧力，燃料電池７の温度，及び空気の流量における燃料電池７の電圧基準値を演算する。これにより、このステップＳ１６の処理は完了し、この電圧制御処理はステップＳ１６の処理からステップＳ１７の処理に進む。
【００２９】
ステップＳ１７の処理では、コントローラ１５が、ステップＳ１２の処理において読み込まれた現在値がステップＳ１６の処理により演算された電圧基準値以下であるか否かを判別する。そして、判別の結果、現在値が電圧基準値以下である場合、コントローラ１５は電圧制御処理をステップＳ１８の処理に進める。一方、現在値が電圧基準値以上である場合には、コントローラ１５は電圧制御処理をステップＳ１９の処理に進める。
【００３０】
ステップＳ１８の処理では、コントローラ１５が、燃料電池７の出力電流を制限するための電流制限フラグをセットする。これにより、このステップＳ１８の処理は完了し、この電圧制御処理はステップＳ１８の処理からステップＳ２１の処理に進む。
【００３１】
ステップＳ１９の処理では、コントローラ１５が、燃料電池７の出力電流を制限するための電流制限フラグをクリアする。これにより、このステップＳ１９の処理は終了し、この電圧制限処理はステップＳ１９の処理からステップＳ２０の処理に進む。
【００３２】
ステップＳ２０の処理では、コントローラ１５が、燃料電池７の電流上限値をデフォルト値（定格値）に設定する。これにより、このステップＳ２０の処理は完了し、この電圧制御処理はステップＳ２０の処理からステップＳ２１の処理に進む。
【００３３】
ステップＳ２１の処理では、コントローラ１５が、電流制限フラグがセットされているか否かを判別する。そして、判別の結果、電流制限フラグがセットされていない場合、コントローラ１５は、一連の電圧制御処理を終了する。一方、電流制限フラグがセットされている場合には、コントローラ１５は電圧制御処理をステップＳ２２の処理に進める。
【００３４】
ステップＳ２２の処理では、コントローラ１５が、温度センサ１４の検出結果を利用して燃料電池７の温度を読み込む。これにより、このステップＳ２２の処理は完了し、この電圧制御処理はステップＳ２２の処理からステップＳ２３の処理に進む。
【００３５】
ステップＳ２３の処理では、コントローラ１５が、ステップＳ２２の処理により読み込まれた燃料電池７の現在の温度に対応する燃料電池７の最大出力電流値を演算する。これにより、このステップＳ２３の処理は完了し、この電圧制御処理はステップＳ２３の処理からステップＳ２４の処理に進む。
【００３６】
ステップＳ２４の処理では、コントローラ１５が、電流計１１及び電圧計１２の検出結果を参照して、燃料電池７の現在の出力電流値を演算する。これにより、このステップＳ２４の処理は完了し、この電圧制御処理はステップＳ２４の処理からステップＳ２５の処理に進む。
【００３７】
ステップＳ２５の処理では、コントローラ１５が、ステップＳ２２の処理により演算された最大出力電流値がステップＳ２４の処理により演算された燃料電池７の現在の出力電流値以上であるか否かを判別する。そして、判別の結果、最大出力電流値が現在の出力電流値以上である場合、コントローラ１５は、更なる電流出力が可能であると判断し、電圧制御処理をステップＳ２６の処理に進める。一方、最大出力電流値が現在の出力電流値以上である場合には、コントローラ１５は一連の電圧制御処理を終了する。
【００３８】
ステップＳ２６の処理では、コントローラ１５が、圧力制御弁２及びコンプレッサ５を制御することにより、燃料電池７に供給する燃料ガス及び空気の流量（ＳＲ）や圧力を上昇させ、燃料電池７の出力電流を増加させる。これにより、このステップＳ２６の処理は完了し、一連の圧力制御処理は終了する。
【００３９】
以上の説明から明らかなように、本発明の第２の実施形態となる燃料電池システムによれば、コントローラ１５が、燃料電池７の実電流が電圧低下判定値以上低下したか否かを判別し、電圧低下判定値以上低下した場合、燃料電池７の実電流の増加を停止するので、燃料電池７の出力電圧が更に低下することを防止できる。
【００４０】
また、本発明の第２の実施形態となる燃料電池システムによれば、コントローラ１５が、燃料電池７の現在の温度に対応する燃料電池７の最大出力電流値を演算し、燃料電池７の実電流値が演算された最大出力電流値より低い場合、燃料電池７に供給する燃料ガス及び空気の流量や圧力を上昇させることにより、燃料電池７の出力電流値を増加させるので、現在の温度状態における燃料電池７の最大出力電流値を確保することができる。
【００４１】
以上、本発明者によってなされた発明を適用した実施の形態について説明したが、この実施の形態による本発明の開示の一部をなす論述及び図面により本発明は限定されることはない。例えば、上記実施形態では、コントローラ１５は、燃料電池７の実電流値に従って各種制御を行ったが、燃料電池７の目標電流値に従って制御を行ってもよい。また、燃料電池７の出力電流の応答速度を下げた際には、二次電池等のエネルギーデバイスから出力電流の不足分を補い、燃料電池システム全体としては、応答速度が変化しないように制御することが望ましい。このように、上記実施の形態に基づいて当業者等によりなされる他の実施の形態、実施例及び運用技術等は全て本発明の範疇に含まれることは勿論であることを付け加えておく。
【図面の簡単な説明】
【００４２】
【図１】本発明の第１の実施形態となる燃料電池システムの構成を示すブロック図である。
【図２】本発明の実施形態となる応答制御処理の流れを示すフローチャート図である。
【図３】図２に示す応答制御処理を説明するための燃料電池の出力電流値の時間変化を示す図である。
【図４】応答変更電流値を演算する際に最大電流値に乗算する係数を示す図である。
【図５】本発明の実施形態となる電圧制御処理の流れを示すフローチャート図である。
【図６】本発明の実施形態となる電圧制御処理の流れを示すフローチャート図である。
【符号の説明】
【００４３】
１：燃料ガスタンク
２：圧力制御弁
３，６：流路
４：エゼクタ
５：コンプレッサ
６：制御コントローラ
７：燃料電池
８：排気管
９：圧力制御弁
１０：流量計
１１：電流計
１２：電圧計
１３：出力制御器
１４：温度センサ
１５：コントローラ
【図１】
2006004717.tif 000003
【図２】
2006004717.tif 000004
【図３】
2006004717.tif 000005
【図４】
2006004717.tif 000006
【図５】
2006004717.tif 000007
【図６】
2006004717.tif 000008